(57)【要約】【課題】本発明では、管理対象機器の稼働情報の確認を容易とするための機器管理システム、表示装置および機器稼働状態の確認方法を提供することを目的とする。【解決手段】機器管理システム１は、稼働信号群を外部に対して出力する電子機器１０、１１、１２を管理するための機器管理システム１であって、判断装置６０２と、表示装置６０３とを備えている。この稼働信号群は、電子機器１０、１１、１２の稼働状態を示す信号である。稼働信号群は、少なくとも第１稼働信号および第２稼働信号を含んでいる。第１稼働信号および第２稼働信号は、複数値信号であって、電子機器１０、１１、１２に設けられる各機器のＯＮ／ＯＦＦ出力などを示す信号である。判断装置６０２は、第１稼働信号と第２稼働信号とが正常であるか否かを判断している。表示装置６０３は、第１稼働信号が正常である場合には、第１画像２１０を表示する。また、表示装置６０３は、第２信号が正常である場合には、第２画像２１０を表示する。第１画像２１０と第２画像２１０とは、正常画像２１１を形成する。【選択図】        図７
2005003267.tif 000002
【特許請求の範囲】
【請求項１】
少なくとも複数値信号である第１稼働信号および第２稼働信号を含み稼働状態を示す稼働信号群を外部に対して出力する電子機器（１０、１１、１２）を管理するための機器管理システム（１）であって、
前記第１稼働信号および前記第２稼働信号が正常であるか否かを判断する判断装置（６０２）と、
前記第１稼働信号が正常である場合には第１画像（２１０）を表示し、前記第２稼働信号が正常である場合には第２画像（２１０）を表示する表示装置（６０３）と、
を備え、
前記第１画像（２１０）と前記第２画像（２１０）とは、正常画像（２１１）を形成する、
機器管理システム（１）。
【請求項２】
前記判断装置（６０２）は、前記稼働信号群に基づいて、前記第１稼働信号および前記第２稼働信号が正常であるか否かを判断する、
請求項１に記載の機器管理システム（１）。
【請求項３】
前記表示装置（６０３）は、前記第１稼働信号が異常である場合には第３画像（２１０）を表示し、前記第２稼働信号が異常である場合には第４画像（２１０）を表示する、
請求項１または２に記載の機器管理システム（１）。
【請求項４】
前記第３画像（２１０）と前記第４画像（２１０）とは、異常画像（２１２）を形成する、
請求項３に記載の機器管理システム（１）。
【請求項５】
前記表示装置（６０３）は、前記電子機器（１０、１１、１２）の設置場所の遠隔地に設置される、
請求項１から４のいずれかに記載の機器管理システム（１）。
【請求項６】
少なくとも第１稼働信号および第２稼働信号を含む稼働信号群を外部に対して出力する電子機器（１０、１１、１２）の稼働状態を管理するために前記第１稼働信号および前記第２稼働信号が正常であるか否かを判断する判断装置（６０２）に接続される稼働状態表示装置（６０３）であって、
前記判断装置（６０２）の判断結果に基づいて、前記第１稼働信号が正常である場合には第１指令を作成し、前記第２稼働信号が正常である場合には第２指令を作成する作成部と、
前記作成部において前記第１指令が作成される場合には第１画像（２１０）を表示し、前記作成部において前記第２指令が作成される場合には第２画像（２１０）を表示する表示部（２００）と、
を備え、
前記第１画像（２１０）と前記第２画像（２１０）とは、正常画像（２１１）を形成する、
稼働状態表示装置（６０３）。
【請求項７】
少なくとも第１稼働信号および第２稼働信号を含み稼働状態を示す稼働信号群を外部に対して出力する機器稼働状態の確認方法であって、
前記第１稼働信号および前記第２稼働信号が正常であるか否かを判断する第１ステップと、
前記第１稼働信号が正常である場合には第１画像（２１０）を表示し、前記第２稼働信号が正常である場合には第２画像（２１０）を表示する第２ステップと、
を備え、
前記第１画像（２１０）と前記第２画像（２１０）とは、正常画像（２１１）を形成する、
電子機器（１０、１１、１２）の稼働状態を確認する方法。
【請求項８】
稼働状態を示す複数の稼働信号群を外部に対して出力することにより電子機器（１０、１１、１２）を管理する機器管理システム（１）であって、
稼働信号毎に、前記稼働信号が正常であるか否かを判断する判断手段（６０２）と、
前記稼働信号が正常である場合には、所定の位置に画像（２１０）を表示する表示手段（６０３）と、
を備え、
前記画像（２１０）は、正常画像（２１１）を形成する、
機器管理システム（１）。
【発明の詳細な説明】
【０００１】
【発明の属する技術分野】
本発明は、機器管理システム、稼働状態表示装置および機器稼働状態の確認方法、特に、稼働状態を示す稼働信号群を外部に対して出力する電子機器を管理するための機器管理システム、表示装置および機器稼働状態の確認方法に関する。
【０００２】
【従来の技術】
近年、建物（ビルや住宅など）において各種機能を提供する電子機器を総合的に管理（監視、制御など）するための機器管理システムが提案されている（例えば、特許文献１）。
この機器管理システムには、コントローラと、管理サーバとが設けられている。コントローラは、電子機器に接続され、電子機器から電子機器の稼働に関する情報を受信する。さらに、コントローラは、この情報を管理サーバに対して送信する。管理サーバは、コントローラから送信されるこの情報を用いて、電子機器の管理を行っている。
【０００３】
例えば、空気調和装置の管理システムでは、空気調和装置の稼働に関する稼働情報が、空気調和装置からコントローラを介して管理サーバに送られている。この稼働情報は、空気調和装置が有する各種の機器（圧縮機、電磁弁など）の稼働状況などを示すデータである。この稼働情報が、管理サーバにおいて、空気調和装置の管理に用いられている。
【０００４】
【特許文献１】
特開２００２−２２２０１０号公報
【０００５】
【発明が解決しようとする課題】
ところで、上記のような機器管理システムでは、例えばシステムの管理者などが、管理サーバなどにおいて、空気調和装置の稼働情報を確認することができる。この稼働情報は、空気調和装置が有する各種の機器の一つ一つに対応する「数値」や「文字」の形式で管理サーバに接続される画面などに表示されることが多い。
【０００６】
しかし、空気調和装置には非常に多くの機器が設けられている。また、この機器管理システムでは、多くの台数の空気調和装置を管理対象としている場合がある。したがって、空気調和装置を管理するために取得される空気調和装置の稼働情報は、莫大な数量になっている。つまり、空気調和装置の稼働情報を確認するためには、システムの管理者などが「数値」や「文字」の形式で表示される莫大な数の稼働情報を一つずつ目視で確認する必要がある。
【０００７】
このため、従来の機器管理システムでは、電子機器の稼働状態の確認が、大変困難な作業となっている。
そこで、本発明では、管理対象機器の稼働情報の確認を容易とするための機器管理システム、表示装置および機器稼働状態の確認方法を提供することを目的とする。
【０００８】
【課題を解決するための手段】
請求項１に記載の機器管理システムは、稼働信号群を外部に対して出力する電子機器を管理するための機器管理システムであって、判断装置と、表示装置とを備えている。この稼働信号群は、電子機器の稼働状態を示す信号である。稼働信号群は、少なくとも第１稼働信号および第２稼働信号を含んでいる。第１稼働信号および第２稼働信号は、複数値信号であって、電子機器に設けられる各機器のＯＮ／ＯＦＦ出力などを示す信号である。判断装置は、第１稼働信号と第２稼働信号とが正常であるか否かを判断している。表示装置は、第１稼働信号が正常である場合には、第１画像を表示する。また、表示装置は、第２信号が正常である場合には、第２画像を表示する。第１画像と第２画像とは、正常画像を形成する。この正常画像は、視認者に正常なイメージを付与するための画像であって、例えば丸印や二重丸などである。また、第１画像、第２画像および正常画像は、静止画像だけでなく、動画像や点滅画像など表示装置に表示され得る全ての映像を含んでいる。
【０００９】
この機器管理システムでは、電子機器から外部に対して、第１稼働信号および第２稼働信号を含む稼働信号群が出力される。電子機器から出力された稼働信号群に基づいて、第１稼働信号および第２稼働信号が正常であるか否かの判断が、判断装置において行われる。第１稼働信号が正常である場合には、第１画像が表示装置に表示される。第２稼働信号が正常である場合には、第２画像が表示装置に表示される。
【００１０】
ここでは、第１稼働信号および第２稼働信号が正常である場合には、表示装置に正常画像が表示される。この正常画像は視認者に正常なイメージを付与するための画像である。したがって、例えば本システムの管理者などは、正常画像を視認することにより、電子機器が正常に稼働していることを容易に確認することができる。このため、この機器管理システムでは、電子機器の稼働状態の確認が容易となる。
【００１１】
請求項２に記載の機器管理システムは、請求項１に記載の機器管理システムであって、判断装置は、稼働信号群に基づいて、第１稼働信号および第２稼働信号が正常であるか否かを判断する。
ここでは、第１稼働信号および第２稼働信号の正常／異常の判断が、稼働信号群に基づいて行われる。したがって、例えば電子機器の運転モードなどの各種稼働条件に応じて、第１稼働信号および第２稼働信号の正常／異常の判断が行われる。このため、この機器管理システムでは、システムの有用性が向上する。
【００１２】
請求項３に記載の機器管理システムは、請求項１または２に記載の機器管理システムであって、表示装置は、第１稼働信号が異常である場合には第３画像を表示する。また、表示装置は、第２稼働信号が異常である場合には、第４画像を表示する。また、第３画像および第４画像は、静止画像だけでなく、動画像や点滅画像など表示装置に表示され得る全ての映像を含んでいる。
【００１３】
ここでは、第１稼働信号が異常である場合には、表示装置に第３画像が表示される。また、第２稼働信号が異常である場合には、表示装置に第４画像が表示される。つまり、第１稼働信号が異常である場合には、第１画像と異なる第３画像が、表示装置に表示される。また、第２稼働信号が異常である場合には、第２画像と異なる第４画像が、表示装置に表示される。したがって、第１稼働信号または第２稼働信号もしくはその両方が異常である場合には、例えば本システムの管理者などは、第３画像または第４画像もしくはその両方を視認することにより、電子機器の稼働が異常であることを容易に確認することができる。このため、この機器管理システムでは、電子機器の稼働状態の確認がさらに容易となる。
【００１４】
請求項４に記載の機器管理システムは、請求項３に記載の機器管理システムであって、第３画像と第４画像とは、異常画像を形成する。この異常画像は、視認者に異常なイメージを付与するための画像であって、例えばバツ印などである。また、異常画像は、静止画像だけでなく、動画像や点滅画像など表示装置に表示され得る全ての映像を含んでいる。
【００１５】
ここでは、第３画像と第４画像とが、異常画像を形成する。この異常画像は、視認者に異常なイメージを付与するための画像である。したがって、例えば本システムの管理者などは、異常画像を視認することにより、電子機器の稼働が異常であることを容易に確認することができる。このため、この機器管理システムでは、電子機器の稼働状態の確認がさらに容易となる。
【００１６】
請求項５に記載の機器管理システムは、請求項１から４のいずれかに記載の機器管理システムであって、表示装置は、電子機器の設置場所の遠隔地に設置されている。
ここでは、表示装置が、電子機器の設置場所の遠隔地に設置されている。したがって、例えばシステムの管理者などが、電子機器の設置場所から遠く隔たった場所から、電子機器の稼働状態を確認することができる。このため、この機器管理システムでは、電子機器の稼働状態の確認がさらに容易となる。
【００１７】
請求項６に記載の稼働状態表示装置は、稼働信号群を外部に対して出力する電子機器を管理するための稼働状態表示装置であって、作成部と、表示部とを備えている。この稼働信号群は、電子機器の稼働状態を示す信号である。稼働信号群は、少なくとも第１稼働信号および第２稼働信号を含んでいる。第１稼働信号および第２稼働信号は、電子機器に設けられる各機器のＯＮ／ＯＦＦ出力などを示す信号である。判断装置は、第１稼働信号と第２稼働信号とが正常であるか否かを判断している。稼働状態表示装置は、判断装置と接続されている。作成部は、判断装置の判断結果に基づいて、第１稼働信号が正常である場合には第１画像を表示させる第１指令を作成する。さらに、作成部は、判断装置の判断結果に基づいて、第２稼働信号が正常である場合には第２画像を表示させる第２指令を作成する。表示部は、作成部において、第１指令が作成される場合には第１画像を表示する。さらに、表示部は、第２指令が作成される場合には第２画像を表示する。第１画像と第２画像とは、正常画像を形成する。この正常画像は、視認者に正常なイメージを付与するための画像であって、例えば丸印や二重丸などである。また、第１画像、第２画像および正常画像は、静止画像だけでなく、動画像や点滅画像など表示装置に表示され得る全ての映像を含んでいる。
【００１８】
この稼働状態表示装置では、判断装置において行われる第１稼働信号および第２稼働信号が正常であるか否かの判断結果に基づいて、作成部において第１指令と第２指令とが作成される。第１指令は、第１稼働信号が正常である場合に作成される。第２指令は、第２稼働信号が正常である場合に作成される。そして、作成部において第１指令が作成される場合には、表示部において、第１画像が表示される。また、作成部において第２指令が作成される場合には、表示部において、第２画像が表示される。第１画像と第２画像とは、正常画像を形成する。
【００１９】
ここでは、第１稼働信号および第２稼働信号が正常である場合には、表示部に正常画像が表示される。この正常画像は視認者に正常なイメージを付与するための画像である。したがって、例えば電子機器の管理者などは、正常画像を視認することにより、電子機器が正常に稼働していることを容易に確認することができる。このため、この稼働状態表示装置では、電子機器の稼働状態の確認が容易となる。
【００２０】
請求項７に記載の機器稼働状態の確認方法は、稼働信号群を外部に対して出力する機器稼働状態の確認方法であって、第１ステップと、第２ステップとを備えている。この稼働信号群は、電子機器の稼働状態を示す信号である。稼働信号群は、少なくとも第１稼働信号および第２稼働信号を含んでいる。第１稼働信号および第２稼働信号は、電子機器に設けられる各機器のＯＮ／ＯＦＦ出力などを示す信号である。第１ステップでは、第１稼働信号および前記第２稼働信号が正常であるか否かを判断する。第２ステップでは、第１稼働信号が正常である場合には、第１画像を表示する。さらに、第２ステップでは、第２稼働信号が正常である場合には、第２画像を表示する。第２画像は、正常画像を第１画像とともに形成する。この正常画像は、視認者に正常なイメージを付与するための画像であって、例えば丸印や二重丸などである。
【００２１】
ここでは、第１稼働信号および第２稼働信号が正常である場合には、表示装置に正常画像が表示される。この正常画像は視認者に正常なイメージを付与するための画像である。したがって、例えば電子機器の管理者などは、正常画像を視認することにより、電子機器が正常に稼働していることを容易に確認することができる。このため、この機器稼働状態の確認方法を用いれば、電子機器の稼働状態の確認が容易となる。
【００２２】
請求項８に記載の機器管理システムは、稼働状態を示す複数の稼働信号群を外部に対して出力することにより電子機器を管理する機器管理システムであって、判断手段および表示手段を備える。判断手段は、稼働信号毎に、稼働信号が正常であるか否かを判断する。表示手段は、稼働信号が正常である場合には、所定の位置に画像を表示する。そして、それらの画像は、正常画像を形成する。
【００２３】
この機器管理システムでは、電子機器から外部に対して、稼働信号群が出力される。電子機器から出力された稼働信号群に基づいて、稼働信号が正常であるか否かの判断が、判断手段により行われる。稼働信号が正常である場合には、画像が表示手段により所定の位置に表示される。
ここでは、稼働信号が正常である場合には、正常画像が表示される。この正常画像は視認者に正常なイメージを付与するための画像である。したがって、例えば本システムの管理者などは、正常画像を視認することにより、電子機器が正常に稼働していることを容易に確認することができる。このため、この機器管理システムでは、電子機器の稼働状態の確認が容易となる。
【００２４】
【発明の実施の形態】
＜空気調和装置の管理システムの全体構成＞
本発明の一実施の形態が採用される空気調和装置の管理システム１の概略構成を、図１に示す。空気調和装置の管理システム１は、遠隔管理センタ６を運営する事業者が、所定の外部通信機能を有する複数の空気調和装置１０、１１、１２が配備される建物２、３のオーナーや空気調和装置１０、１１、１２の使用者などに対して様々なサービスを提供するためのシステムである。この空気調和装置の管理システム１は、主に、遠隔管理センタ６内のサーバコンピュータ６０（図５参照）と、建物２、３のローカル空調管理システムとから構成されている。遠隔管理センタ６は、空気調和装置１０、１１、１２の設置される建物２、３の遠方に設けられている。ローカル空調管理システムは、インターネットなどのネットワークを介して遠隔管理センタ６内のサーバコンピュータ６０に接続されている。ローカル空調管理システムのコントローラ４、５は、ネットワークを介して、サーバコンピュータ６０に対して定期的に所定のデータを送信するように構成されている。
【００２５】
＜空気調和装置の構成＞
まず、図２を参照して、空気調和装置の管理システム１により管理される空気調和装置１０の構成について説明する。空気調和装置１１、１２は、空気調和装置１０の構成と同様であるので、その説明は省略する。この空気調和装置１０には、室外ユニット１０５に対して複数の室内ユニット１０１、１０２、１０３が接続されており、同一室内Ｒの空気調和を複数の室内ユニット１０１、１０２、１０３によって行う。以下、例として室外ユニット１０５に対して３台の室内ユニット１０１、１０２、１０３が接続される空気調和装置１０を示すが、室外ユニット１０５および室内ユニットの数はこれに限られるものではない。空気調和装置１１、１２についても、同様である。また、以下、例として、３台の室内ユニット１０１、１０２、１０３が同一室内Ｒの空気調和を行う空気調和装置１０を示すが、室内ユニット１０１、１０２、１０３の空調対象は、これに限られるものではない。
【００２６】
この空気調和装置１０は、室外ユニット１０５と３台の室内ユニット１０１、１０２、１０３とを有している。室外ユニット１０５は、空気調和装置１０が配置された建物２の屋上等の外部に配置される。３台の室内ユニット１０１、１０２、１０３は、同一の室内Ｒの天井近傍に配置されており、室内Ｒの空気調和を共同で行う。各室内ユニット１０１、１０２、１０３は、冷媒配管１０６および室外機通信線により、室外ユニット１０５と接続されている。
【００２７】
このような空気調和装置１０の冷媒回路および構成の概略を図３に示す。冷媒回路は、１台の室外ユニット１０５と、室外ユニット１０５に並列に接続された第１室内ユニット１０１、第２室内ユニット１０２および第３室内ユニット１０３により構成されている。
（室外ユニットの構成）
室外ユニット１０５は、室外熱交換器１５１、圧縮機１５２、四路切換弁１５３、アキュムレータ１５４、吐出管サーミスタ１５６、室外制御部１５７（図４参照）などを備えている。
【００２８】
室外熱交換器１５１、圧縮機１５２、四路切換弁１５３およびアキュムレータ１５４は、室内ユニット１０１、１０２、１０３との間で冷媒回路を構成しており、四路切換弁１５３は、冷房時と暖房時との冷媒の流れを切換える。
吐出管サーミスタ１５６は、圧縮機１５２の吐出側に取り付けられており、圧縮機１５２の吐出側の吐出管温度を検知する。
【００２９】
室外制御部１５７は、マイクロプロセッサ、ＲＯＭ、ＲＡＭ、各種インターフェイスなどにより構成されている。室外制御部１５７は、図４に示すように、吐出管サーミスタ１５６が接続されており、吐出管サーミスタ１５６の検知信号が入力される。また、室外制御部１５７には、圧縮機１５２、四路切換弁１５３なども接続されており、運転中の各種条件に応じて圧縮機１５２の運転周波数を制御することによって、空調運転の制御を行う。さらに、室外制御部１５７には、圧縮機１５２や四路切替弁１５３などのＯＮ／ＯＦＦ信号が入力される。また、室外制御部１５７は、コントローラ４に接続され、吐出管サーミスタ１５６、圧縮機１５２および四路切替弁１５３などから入力される信号をコントローラ４に送信する。
【００３０】
（室内ユニットの構成）
空調対象の室内Ｒには、第１室内ユニット１０１、第２室内ユニット１０２および第３室内ユニット１０３の３台が設けられている。
第１室内ユニット１０１は、第１室内熱交換器１１１、第１電動弁１１２、第１室内ファン１１３、第１室内ファンモータ１１４、第１室温サーミスタ１１５、第１通信線１１６（図４参照）、第１室内制御部１１７（図４参照）等を有している。
【００３１】
第１室内熱交換器１１１と第１電動弁１１２とは、直列に接続されており、室外ユニット１０５との間で冷媒回路を構成している。第１室内熱交換器１１１は通過する空気と間で熱交換を行い、室内Ｒへ送られる空気の温度調整を行う。第１電動弁１１２は、第１室内熱交換器１１１に流れる冷媒量を調整する。
第１室内ファン１１３は、第１室内ファンモータ１１４によって駆動される。第１室内ファン１１３は、第１室内ユニット１０１が配置されている室内Ｒの空気を第１室内ユニット１０１の内部に取り込み、第１室内熱交換器１１１により熱交換が行われた空気を室内Ｒへと送る。従って、第１室内ファン１１３は、暖房時には第１室内熱交換器１１１によって暖められた空気を室内Ｒへと送り、冷房時には第１室内熱交換器１１１によって冷やされた空気を室内Ｒへと送る。
【００３２】
第１室温サーミスタ１１５は、第１室内ユニット１０１の内部に取り込まれる空気が通る吸込み口近傍に設けられており、室内Ｒの温度を検知して第１室内制御部１１７へと検知信号を送信する。
第１通信線１１６は、図４に示すように、操作パネル１０７と第１室内制御部１１７とを接続しており、操作パネル１０７に入力された空調運転の設定に関する信号（以下、「運転信号」という。）を第１室内制御部１１７へと伝送する。この運転信号は、例えば、冷房運転を行う指令、暖房運転を行う指令、設定温度、風量、風向などである。
【００３３】
第１室内制御部１１７は、マイクロプロセッサ、ＲＯＭ、ＲＡＭ、各種インターフェイスなどにより構成されている。第１室内制御部１１７は、第１通信線１１６によって操作パネル１０７と接続されており、操作パネル１０７から運転信号を受ける。また、第１室内制御部１１７は、第１電動弁１１２、第１室内ファンモータ１１４および第１室温サーミスタ１１５と接続されており、第１電動弁１１２や第１室内ファンモータ１１４などのＯＮ／ＯＦＦ信号、第１室温サーミスタ１１５の検知信号などが入力される。また、第１室内制御部１１７は、第１電動弁１１２や第１室内ファンモータ１１４に制御信号を送信して室内Ｒの温度調整を行う。
【００３４】
室外制御部１５７と第１室内制御部１１７との間には、室外機通信線１４０が設けられており、この室外機通信線１４０を介して第１室内ファンモータ１１４等への制御信号などの各種信号の送受信が可能となっている。さらに、第１室内制御部１１７は、室外制御部１５７を介して、第１電動弁１１２、第１室内ファンモータ１１４および第１室温サーミスタ１１５などから入力される信号をコントローラ４に対して送信する。
【００３５】
また、室外制御部１５７と第１室内制御部１１７とは、室内Ｒの温度調整のために、サーモオフ動作やサーモオン動作を行わせる。サーモオフ動作では、室外制御部１５７は、圧縮機１５２の運転を停止させる。また、第１室内制御部１１７は、第１室内ファンモータ１１４の出力を最低レベルに落として、第１室内ファン１１３の運転を必要最小限とする。サーモオン動作では、室外制御部１５７は、圧縮機１５２を再起動させる。第１室内制御部１１７は、第１室内ファンモータ１１４の出力制御を通常の制御に戻す。また、室外制御部１５７は、上述のサーモオフ動作やサーモオン動作を信号として、コントローラ４に対して送信する。
【００３６】
第２室内ユニット１０２は、第２室内熱交換器１２１、第２電動弁１２２、第２室内ファン１２３、第２室内ファンモータ１２４、第２室温サーミスタ１２５、第２通信線１２６（図４参照）、第２室内制御部１２７（図４参照）等を有している。また、第３室内ユニット１０３は、第３室内熱交換器１３１、第３電動弁１３２、第３室内ファン１３３、第３室内ファンモータ１３４、第３室温サーミスタ１３５、第３通信線１３６（図４参照）、第３室内制御部１３７（図４参照）等を有している。第２室内ユニット１０３および第３室内ユニット１０４の各構成部品は、第１室内ユニット１０１が有する各構成部品と同様である。また、第２室内ユニット１０２および第３室内ユニット１０３は、第１室内ユニット１０１と同様に室外ユニット１０５と接続されている。さらに、第２室内ユニット１０２および第３室内ユニット１０３は、第１室内ユニット１０１と同様に、サーモオン動作やサーモオフ動作を行う。
【００３７】
＜建物内のローカル空調管理システムの構成＞
次に、建物２、３内に配備されているローカル空調管理システムについて説明する。このローカル空調管理システムは、それぞれ別の冷媒系統を有する複数の空気調和装置１０、１１、１２を、コントローラ４、５により一括して管理するシステムである。具体的には、コントローラ４、５は、建物２、３のオーナーからの指令により、空気調和装置１０、１１、１２の制御を行ったり、建物２、３の管理者などに対して空気調和装置１０、１１、１２に関する管理データを提供したりする。さらに、コントローラ４、５は、ネットワークを介して、空気調和装置１０、１１、１２から送信される空気調和装置１０、１１、１２の構成要素に関する稼働情報を遠隔管理センタ６のサーバコンピュータ６０に対して送信する。
【００３８】
（コントローラ４、５）
コントローラ４、５は、空気調和装置１０、１１、１２の管理のために空気調和装置１０、１１、１２と接続され、建物２、３の制御室内などに設けられる。空気調和装置１０、１１、１２の管理を行う際に、コントローラ４、５は、ネットワークを介してサーバコンピュータ６０に接続されている。
【００３９】
以下に、コントローラ４の構成について説明する。コントローラ５については、コントローラ４と同様の構成であるので、その説明を省略する。
コントローラ４は、空気調和装置１０、１１に対して空気調和装置１０、１１の制御や稼働に関する信号の送受信を行う。さらに、コントローラ４は、ネットワークを介して、空気調和装置１０、１１から送信される空気調和装置１０、１１の運転信号やオンオフ信号などの稼働信号群を遠隔管理センタ６に対して送信する。
【００４０】
＜遠隔管理センタ６のサーバコンピュータ６０の構成＞
サーバコンピュータ６０は、空気調和装置１０、１１、１２の設置される建物２、３の遠方に設けられる遠隔管理センタ６に設けられている。遠隔管理センタ６は、建物２、３に配備される空気調和装置１０、１１、１２の故障監視、故障予知、設備利用の料金管理、データ解析による改善提案、各種報告書の作成などを行うために設置されている。また、サーバコンピュータ６０は、建物２、３などのコントローラ４、５から送信される稼働信号群を含む種々のデータを管理・蓄積し、故障監視や各種報告書の作成などの様々なサービスを提供するための機能を備えている。
【００４１】
また、サーバコンピュータ６０は、図５に示すように、サーバ通信部６０１と、サーバ制御部６０２と、モニタ６０３とを有している。
サーバ通信部６０１は、コントローラ４、５から送信される空気調和装置１０、１１、１２の稼働信号群を受信している。
サーバ制御部６０２は、サーバ通信部６０１において受信される空気調和装置１０、１１、１２の稼働信号群などの各種データに基づいて、空気調和装置１０、１１、１２の管理を行うために設けられている。このサーバ制御部６０２は、マイクロプロセッサ、ＲＯＭ、ＲＡＭ、各種インターフェイスなどにより構成されている。そして、このサーバ制御部６０２は、空気調和装置１０、１１、１２の稼働信号群に基づいて空気調和装置１０、１１、１２の各機器のオンオフ信号や稼働信号などが正常であるか否かを判断している。また、サーバ制御部６０２は、この判断結果をモニタ６０３に対して送信している。
【００４２】
モニタ６０３は、空気調和装置１０、１１、１２の稼働状態を表示する表示装置である。このモニタ６０３は、作成部と、表示画面２００（図６参照）とを有している。作成部は、サーバ制御部６０２から送信される判断結果に基づいて表示指令を作成する。なお、この表示指令には、画像の位置を指定する指令やその画像の態様を指定する指令などが含まれている。表示画面２００は、図６（ａ）に示すように、多数の画素２０５から構成される。そして、この表示画面２００は、表示指令に従ってその画素２０５に画像２１０を表示する。
【００４３】
＜空気調和装置の管理システム１においてモニタ６０３が画像２１１、２１２を表示するまでの流れ＞
図１０には、空気調和装置の管理システム１においてモニタ６０３が画像を表示するまでの流れを表すフローチャートを示す。
図１０において、ステップＳ１１では、空気調和装置１０が、コントローラ４へ信号を出力する。ステップＳ１２では、コントローラ４が、ネットワークを介してサーバコンピュータ６０に稼働信号群を送信する。ステップＳ１３では、サーバ通信部６０１が稼働信号群を受信する。ステップＳ１４では、サーバ制御部６０２が、稼働信号群に基づいてオンオフ信号や稼働信号などが正常であるか否かを判断する。ステップＳ１５では、作成部が、判断結果に従って表示指令を作成する。ステップＳ１６では、モニタ６０３が、表示指令に従って画像１００を表示する。
【００４４】
＜空気調和装置データの表示方法＞
例えば、四路切替弁１５３が冷房時にはＯＦＦの状態となり暖房時にはＯＮの状態になるように設計されているとする。ここで、サーバ制御部６０２は、稼働信号群中に暖房を行う指令が含まれている場合、四路切替弁１５３のＯＮ信号を正常であると判断する。そして、作成部は、その正常判断結果に対して表示画面２００の行Ｒ９列Ｃ１０の位置に画像２１０を表示する指令を作成する（図６（ａ）参照）。
【００４５】
また、サーバ制御部６０２は、稼働信号群中にサーモオフ動作の信号が含まれている場合、第１室内ファンモータ１１４の最低レベル出力信号を正常であると判断する。そして、作成部は、その正常判断結果に対して表示画面２００の行Ｒ１０列Ｃ９の位置に画像２１０を表示する指令を作成する（図６（ｂ）参照）。このように、サーバ制御部６０２は、運転中の各種条件（例えば、運転モード、設定温度、風量、風向、および外気温など）に応じてその他の信号、例えば、吐出管サーミスタ１５６の検知信号、圧縮機１５２の運転周波数、第１電動弁１１２や第１室内ファンモータ１１４などのＯＮ／ＯＦＦ信号、および第１室温サーミスタ１１５の検知信号などの正常判断をも行う。そして、それらの信号が全て正常であると判断されると表示画面２００には、円の画像２１１が描かれる（図７（ａ）参照）。この画像２１１は、空気調和装置１０が完全に正常であることを示唆している。
【００４６】
逆に、サーバ制御部６０２は、稼働信号群の中に冷房を行う指令が含まれている場合、四路切替弁１５３のＯＮ信号を異常であると判断する。そして、作成部は、その異常判断結果に対して表示画面２００のＲ１２行Ｃ１２列の位置に画像２１０を表示する指令を作成する（図７（ｂ）参照）。
また、サーバ制御部６０２は、稼働信号群の中にサーモオン動作の信号が含まれている場合、第１室内ファンモータ１１４の最低レベル出力信号を異常であると判断する。そして、作成部は、その異常判断結果に対して表示画面２００のＲ１１行Ｃ２列の位置に画像２１０を表示する指令を作成する（図７（ｂ）参照）。
【００４７】
このようにして、その他の信号も全て異常であると判断されると表示画面２００には、バツの画像２１２が描かれる（図８参照）。この画像２１２は、空気調和装置１０が完全に異常であることを示唆している。
＜本システムの特徴＞
（１）
この空気調和装置の管理システム１では、サーバ制御部６０２が全ての信号を正常であると判断すると、モニタ６０３の表示画面２００に円の画像２１１が表示される。この円の画像２１１は視認者に正常なイメージを付与する。したがって、本システム１の管理者などは、画像が円であることを視認することにより、空気調和装置１０が正常に稼働していることを容易に確認することができる。このため、この空気調和装置の管理システム１では、空気調和装置１０の稼働状態の確認が容易となる。
【００４８】
（２）
この空気調和装置の管理システム１では、信号の正常／異常の判断が、稼働信号群に基づいて行われる。したがって、空気調和装置１０の運転モードなどの各種稼働条件に応じて、信号の正常／異常の判断が行われる。このため、この空気調和装置の管理システム１では、システム１の有用性が向上する。
【００４９】
（３）
この空気調和装置の管理システム１では、異常と判断される信号の数が多くなるにつれて徐々に丸の画像が崩れ、バツの画像に近づいていく。したがって、本システム１の管理者などは、画像の崩れ具合を確認することによって、空気調和装置１０の稼働が異常であることを容易に確認することができる。このため、この空気調和装置の管理システム１では、空気調和装置１０の稼働状態の確認が容易となっている。
【００５０】
（４）
この空気調和装置の管理システム１では、サーバ制御部６０２が全ての信号を異常であると判断すると、モニタ６０３の表示画面２００にバツの画像２１２が表示される。このバツの画像２１２は、視認者に異常なイメージを付与する。したがって、本システム１の管理者などは、画像がバツであることを視認することにより、空気調和装置１０が異常な稼働状態にあることを容易に確認することができる。このため、この空気調和装置の管理システム１では、空気調和装置１０の稼働状態の確認がさらに容易となる。
【００５１】
（５）
この空気調和装置の管理システム１では、サーバコンピュータ６０が、空気調和装置１０の設置場所の遠隔地に設置されている。したがって、システム１の管理者などが、空気調和装置１０の設置場所から遠く隔たった場所から、空気調和装置１０の稼働状態を確認することができる。このため、この空気調和装置の管理システム１では、空気調和装置１０の稼働状態の確認がさらに容易となる。
【００５２】
＜他の実施の形態＞
以上、本発明について説明したが、具体的な構成は、上記の実施の形態に限られるものではなく、発明の要旨を逸脱しない範囲で変更可能である。
（Ａ）
上記実施の形態では、サーバ制御部６０２が全ての信号を正常であると判断すると、モニタ６０３の表示画面２００に円の画像２１１が表示されたが、管理点が多くなるような場合には、二重丸の画像が表示されてもよい。
【００５３】
（Ｂ）
上記実施の形態では、表示画面の画素に静止画像が表示されたが、これに代えて、動画像や点滅画像などが表示されてもよい。
（Ｃ）
上記実施の形態では、異常であると判断される信号の数が多くなるにつれてバツの画像２１２に近づくが、これに代えて、図９（ａ）および（ｂ）に示すように丸の画像２１１が除々に崩れていくような表示方法を採用してもかまわない。例えば、図９（ａ）に示すような画像２１３が表示されている場合は、部分的な異常が発生していると認識することができ、また、図９（ｂ）に示すような画像２１４が表示されている場合は、比較的広範囲にわたる異常が発生していると認識することができる。
【００５４】
【発明の効果】
以上の説明に述べたように、本発明によれば、以下の効果が得られる。
請求項１に係る発明では、第１稼働信号および第２稼働信号が正常である場合には、表示装置に正常画像が表示される。この正常画像は視認者に正常なイメージを付与するための画像である。したがって、例えば本システムの管理者などは、正常画像を視認することにより、電子機器が正常に稼働していることを容易に確認することができる。このため、この機器管理システムでは、電子機器の稼働状態の確認が容易となる。
【００５５】
請求項２に係る発明では、第１稼働信号および第２稼働信号の正常／異常の判断が、稼働信号群に基づいて行われる。したがって、例えば電子機器の運転モードなどの各種稼働条件に応じて、第１稼働信号および第２稼働信号の正常／異常の判断が行われる。このため、この機器管理システムでは、システムの有用性が向上する。
【００５６】
請求項３に係る発明では、第１稼働信号が異常である場合には、表示装置に第３画像が表示される。また、第２稼働信号が異常である場合には、表示装置に第４画像が表示される。つまり、第１稼働信号が異常である場合には、第１画像と異なる第３画像が、表示装置に表示される。また、第２稼働信号が異常である場合には、第２画像と異なる第４画像が、表示装置に表示される。したがって、第１稼働信号または第２稼働信号もしくはその両方が異常である場合には、例えば本システムの管理者などは、第３画像または第４画像もしくはその両方を視認することにより、電子機器の稼働が異常であることを容易に確認することができる。このため、この機器管理システムでは、電子機器の稼働状態の確認がさらに容易となる。
【００５７】
請求項４に係る発明では、第３画像と第４画像とが、異常画像を形成する。この異常画像は、視認者に異常なイメージを付与するための画像である。したがって、例えば本システムの管理者などは、異常画像を視認することにより、電子機器の稼働が異常であることを容易に確認することができる。このため、この機器管理システムでは、電子機器の稼働状態の確認がさらに容易となる。
【００５８】
請求項５に係る発明では、表示装置が、電子機器の設置場所の遠隔地に設置されている。したがって、例えばシステムの管理者などが、電子機器の設置場所から遠く隔たった場所から、電子機器の稼働状態を確認することができる。このため、この機器管理システムでは、電子機器の稼働状態の確認がさらに容易となる。
【００５９】
請求項６に係る発明では、第１稼働信号および第２稼働信号が正常である場合には、表示部に正常画像が表示される。この正常画像は視認者に正常なイメージを付与するための画像である。したがって、例えば電子機器の管理者などは、正常画像を視認することにより、電子機器が正常に稼働していることを容易に確認することができる。このため、この稼働状態表示装置では、電子機器の稼働状態の確認が容易となる。
【００６０】
請求項７に係る発明では、第１稼働信号および第２稼働信号が正常である場合には、表示装置に正常画像が表示される。この正常画像は視認者に正常なイメージを付与するための画像である。したがって、例えば電子機器の管理者などは、正常画像を視認することにより、電子機器が正常に稼働していることを容易に確認することができる。このため、この機器稼働状態の確認方法を用いれば、電子機器の稼働状態の確認が容易となる。
【００６１】
請求項８に係る機器管理システムでは、電子機器から外部に対して、稼働信号群が出力される。電子機器から出力された稼働信号群に基づいて、稼働信号が正常であるか否かの判断が、判断手段により行われる。稼働信号が正常である場合には、画像が表示手段により所定の位置に表示される。
ここでは、稼働信号が正常である場合には、正常画像が表示される。この正常画像は視認者に正常なイメージを付与するための画像である。したがって、例えば本システムの管理者などは、正常画像を視認することにより、電子機器が正常に稼働していることを容易に確認することができる。このため、この機器管理システムでは、電子機器の稼働状態の確認が容易となる。
【図面の簡単な説明】
【図１】空気調和装置の管理システム１の概略構成図。
【図２】空気調和装置１０の概略構成図。
【図３】空気調和装置１０の冷媒回路および構成の概略図。
【図４】空気調和装置１０の通信回路および構成の概略図。
【図５】遠隔管理センタ６におけるサーバコンピュータ６０の概略構成図。
【図６】モニタ６０３の画面２００に表示される画像２１０の説明図。
【図７】モニタ６０３の画面２００に表示される画像２１１の説明図。
【図８】モニタ６０３の画面２００に表示される画像２１２の説明図。
【図９】変形例（Ｃ）においてモニタ６０３の画面２００に表示される画像２１３、２１４の説明図。
【図１０】空気調和装置の管理システム１においてモニタ６０３が画像２１１、２１２を表示するまでの流れを表すフローチャート。
【符号の説明】
１                      空気調和装置の管理システム
２、３                  建物
４、５                  コントローラ
６                      遠隔管理センタ
１０、１１、１２          空気調和装置
６０                      サーバコンピュータ
１０１、１０２、１０３      室内ユニット
１０５                      室外ユニット
１０６                      冷媒配管
１０７                      操作パネル
１１１、１２１、１３１      室内熱交換器
１１２、１２２、１３２      電動弁
１１３、１２３、１３３      室内ファン
１１４、１２４、１３４      室内ファンモータ
１１５、１２５、１３５      室温サーミスタ
１１６、１２６、１３６      通信線
１１７、１２７、１３７      室内制御部
１４０                      室外機通信線
１５１                      室外熱交換器
１５２                      圧縮機
１５３                      四路切換弁
１５４                      アキュムレータ
１５６                      吐出管サーミスタ
１５７                      室外制御部
２００                      表示画面
２０５                      画素
２１０                      画像
２１１                      完全な正常画像
２１２                      完全な異常画像
２１３                      軽微な異常画像
２１４                      重度の異常画像
６０１                      サーバ通信部
６０２                      サーバ制御部（判断装置）
６０３                      モニタ（表示装置）
【図１】
2005003267.tif 000003
【図２】
2005003267.tif 000004
【図３】
2005003267.tif 000005
【図４】
2005003267.tif 000006
【図５】
2005003267.tif 000007
【図６】
2005003267.tif 000008
【図７】
2005003267.tif 000009
【図８】
2005003267.tif 000010
【図９】
2005003267.tif 000011
【図１０】
2005003267.tif 000012